(57)【要約】【課題】  白熱ランプの光源色を白色光に近い照明色に変化させて照明することができる車両用室内照明装置と、その室内照明装置を備えた車両用サンバイザを提供する。【解決手段】  ランプ収納室４２を有するランプケース体４１と、ランプ収納室４２に装着される白熱ランプ４５と、ランプケース体４１の前側に設けられ白熱ランプ４５の光を拡散して出射させるレンズ体５０と、を備える。白熱ランプ４５とレンズ体５０との間には、青系の色成分を有する色温度変換フィルタ５１が設けられ、白熱ランプ４５が発する光を色温度変換フィルタ５１を透して出射させることで白色光に近い照明色に変化させる。【選択図】        図１
2006131130.tif 000002
【特許請求の範囲】
【請求項１】
車室内を照明するための車両用室内照明装置であって、
ランプ収納室を有するランプケース体と、
前記ランプ収納室に装着される白熱ランプと、
前記ランプケース体の前側に設けられ前記白熱ランプの光を拡散して出射させるレンズ体と、を備え、
前記白熱ランプと前記レンズ体との間には、青系の色成分を有する色温度変換フィルタが設けられ、
前記白熱ランプが発する光を前記色温度変換フィルタを透して出射させることで白色光に近い照明色に変化させる構成にしてあることを特徴とする車両用室内照明装置。
【請求項２】
車室内を照明するための車両用室内照明装置であって、
ランプ収納室を有するランプケース体と、
前記ランプ収納室に装着される白熱ランプと、
前記ランプケース体の前側に設けられ前記白熱ランプの光を拡散して出射させるレンズ体と、
を備え、
前記ランプ収納室には、青系の色成分を有する色温度変換反射鏡が設けられ、
前記白熱ランプが発する光を前記色温度変換反射鏡に反射させた後、前記レンズ体を透して出射させることで白色光に近い照明色に変化させる構成にしてあることを特徴とする車両用室内照明装置。
【請求項３】
請求項１又は２に記載の室内照明装置が車両用サンバイザの構成部材に設けられ、
前記構成部材のうち、サンバイザ本体には、化粧用ミラーを備えたミラーユニットが装着されていることを特徴とする車両用サンバイザ。
【請求項４】
請求項３に記載の車両用サンバイザであって、
化粧用ミラーを備えたミラーユニットに室内照明装置が組み込まれていることを特徴とする車両用サンバイザ。
【発明の詳細な説明】
【技術分野】
【０００１】
この発明は、車室内に装着される車両用室内照明装置と、その室内照明装置を備えた車両用サンバイザに関する。
【背景技術】
【０００２】
従来、例えば、車両用サンバイザにおいて、その構成部材であるサンバイザ本体の一側面に化粧用ミラーを備えたミラーユニットと、室内照明装置とが装着されたものが知られている（例えば、特許文献１参照）。
また、車両用サンバイザにおいて、その構成部材であるサンバイザ本体の一側面に化粧用ミラーを備えたミラーユニットが装着され、そのミラーユニットに室内照明装置が組み込まれてたものも知られている。
さらに、車両用サンバイザにおいて、その構成部材である取付ブラケットに対し室内照明装置が組み込まれてたものも知られている（例えば、特許文献２参照）。
【特許文献１】特開平１１−３２１３０７号公報
【特許文献２】特開平８−２０７５６４号公報
【発明の開示】
【発明が解決しようとする課題】
【０００３】
ところで、前記従来の車両用室内照明装置においては、その室内照明装置の光源として白熱ランプが用いられている。
白熱ランプの光源色は、色温度が約２５００Ｋ〜３０００Ｋ程度でオレンジ系の光源色であるため、白熱ランプが発する光によって照明されると、肌の色が黄色っぽく見えてしまう。
例えば、白熱ランプによる照明光のもとで化粧すると、その化粧色が、自然光（太陽光、色温度が約６０００Ｋ）に照らされた状態で異なってしまう。
そこで、白熱ランプの光源色よりも白色光に近い光源色をもつ白色発光ダイオード（ＬＥＤ）を光源として使用することが考えられるが、白色発光ダイオードは白熱ランプと比べ格段と高価であり、車両用室内照明装置の光源として採用することはコストの面からできない場合がある。
【０００４】
この発明の目的は、前記従来の問題点に鑑み、白熱ランプの光源色を白色光に近い照明色に変化させて照明することができる車両用室内照明装置と、その室内照明装置を備えた車両用サンバイザを提供することである。
【課題を解決するための手段】
【０００５】
前記目的を達成するため、この発明の請求項１に係る車両用室内照明装置は、車室内を照明するための車両用室内照明装置であって、
ランプ収納室を有するランプケース体と、
前記ランプ収納室に装着される白熱ランプと、
前記ランプケース体の前側に設けられ前記白熱ランプの光を拡散して出射させるレンズ体と、を備え、
前記白熱ランプと前記レンズ体との間には、青系の色成分を有する色温度変換フィルタが設けられ、
前記白熱ランプが発する光を前記色温度変換フィルタを透して出射させることで白色光に近い照明色に変化させる構成にしてあることを特徴とする。
【０００６】
前記構成において、白熱ランプが発する光は色温度変換フィルタを透して出射される。これによって、白熱ランプのオレンジ色系の光源色が白色光に近い照明色に変化されるため、高価な白色発光ダイオードを用いることなく、白色光に近い照明光によって照明することができる。例えば、白熱ランプの光源色の色温度が約２５００Ｋ〜３０００Ｋ程度でオレンジ系の光源色であるのに対し、色温度変換フィルタを透して出射させることで、色温度を約３２００Ｋ〜５０００Ｋ程度まで高め、白色光に近い照明色に変化させることが可能となる。
【０００７】
請求項２に係る車両用室内照明装置は、車室内を照明するための車両用室内照明装置であって、
ランプ収納室を有するランプケース体と、
前記ランプ収納室に装着される白熱ランプと、
前記ランプケース体の前側に設けられ前記白熱ランプの光を拡散して出射させるレンズ体と、
を備え、
前記ランプ収納室には、青系の色成分を有する色温度変換反射鏡が設けられ、
前記白熱ランプが発する光を前記色温度変換反射鏡に反射させた後、前記レンズ体を透して出射させることで白色光に近い照明色に変化させる構成にしてあることを特徴とする。
【０００８】
前記構成において、白熱ランプが発する光は色温度変換反射鏡によって反射された後、レンズ体を透して出射される。これによって、白熱ランプのオレンジ色系の光源色が白色光に近い照明色に変化されるため、高価な白色発光ダイオードを用いることなく、白色光に近い照明光によって照明することができる。
【０００９】
請求項３に係る車両用サンバイザは、請求項１又は２に記載の室内照明装置が車両用サンバイザの構成部材に設けられ、
前記構成部材のうち、サンバイザ本体には、化粧用ミラーを備えたミラーユニットが装着されていることを特徴とする。
【００１０】
前記構成において、車両用サンバイザの構成部材に、請求項１又は２に記載の室内照明装置が設けられることによって、サンバイザ本体のミラーユニットの化粧用ミラーを使用するときには、室内照明装置による白色光に近い照明色をもつ照明光によって照明することができ、車両用サンバイザの付加価値を高めることができる。
【００１１】
請求項４に係る車両用サンバイザは、請求項３に記載の車両用サンバイザであって、
化粧用ミラーを備えたミラーユニットに室内照明装置が組み込まれていることを特徴とする。
【００１２】
前記構成において、化粧用ミラーを備えたミラーユニットに組み込まれた室内照明装置による白色光に近い照明色をもつ照明光によって照明することができ、使い勝手に優れかつ商品価値の高い車両用サンバイザを提供することができる。
【発明の効果】
【００１３】
この発明によれば、高価な白色発光ダイオードを用いることなく、白熱ランプのオレンジ系の光源色を白色光に近い照明色に変化させて照明することができるため、コストの面において効果が大きい。
【発明を実施するための最良の形態】
【００１４】
次に、この発明を実施するための最良の形態を実施例にしたがって説明する。
【実施例１】
【００１５】
図１はこの発明の実施例１に係る車両用サンバイザを示す正面図である。図２は図１のＩＩ−ＩＩ線に基づく断面図である。
図１に示すように、車両用サンバイザは、支軸１０とサンバイザ本体２０を備えて構成されている。
支軸１０は、縦軸部１１と横軸部１２とを有して略Ｌ字状に形成され、その縦軸部１１において、取付ブラケット１５のボス部１６の軸孔に回動可能に嵌挿され、抜止部材、クリップ等の適宜の抜止手段によって抜け止めされて支持されている。
さらに、支軸１０の横軸部１２には、サンバイザ本体２０がその一隅部に内設された軸受け体２１において回動可能に装着されている。
そして、取付ブラケット１５がビス等の取付手段によって車室の天井部に装着された状態において、サンバイザ本体２０は、横軸部１２の軸回りに回動操作されることで、車室の天井面に沿う格納位置と、日除けとして機能する遮光位置とに配置切換されるようになっている。
【００１６】
サンバイザ本体２０の一側面（遮光位置に配置された状態において車室側に向く面）には凹部が形成され、その凹部には化粧用ミラー３２を有するミラーユニット３０が装着されている。
ミラーユニット３０は、その本体部をなす合成樹脂製のミラーケース体３１の略中央部に化粧用ミラー３２が鏡面を露出して装着されている。
【００１７】
さて、ミラーユニット３０の少なくとも一側、この実施例１では左右両側には、室内照明装置４０が組み込まれている。
この実施例において、ミラーユニット３０のミラーケース体３１の左右両側には、ミラーケース体３１と同材質の合成樹脂材によってランプケース体４１が一体に形成されている。
ランプケース体４１のランプ収納室４２の底部には、一対のランプホルダ（両電極）４３が所定の間隔を隔てて配設されており、これら一対のランプホルダ４３に跨って筒型の白熱ランプ（フィラメントを発光源とする白熱灯）４５が着脱交換可能に取り付けられている。
また、図２に示すように、ランプケース体４１の前側には、白熱ランプ４５の光を拡散して出射させる無色透明のレンズ体５０が設けられている。
【００１８】
白熱ランプ４５とレンズ体５０との間には、白熱ランプ４５の光源色に対し補色の関係をもつ青系の色成分を有する色温度変換フィルタ５１が設けられている。
この実施例１において、ランプ収納室４２の開口部寄りには段差部４６が形成され、その段差部４６には、白熱ランプ４５の前方を覆い被すようにしてフイルム状の青系の色温度変換フィルタ５１が張設されている。そして、白熱ランプ４５が発する光を色温度変換フィルタ５１を透してレンズ体５０から出射させることで白色光に近い照明色に変化させるようになっている。
すなわち、白熱ランプ４５の光源色の色温度が約２５００Ｋ〜３０００Ｋ程度でオレンジ系の光源色であるのに対し、その光源色と補色の関係をもつ青系の色温度変換フィルタ５１を透してレンズ体５０から出射させることで、色温度を約３２００Ｋ〜５０００Ｋ程度まで高め、白色光に近い照明色に変化させるようになっている。
なお、ミラーユニット３０のミラーケース体３１から左右の両ランプケース体４１にわたるミラーユニット３０の前側領域には、開閉カバーが必要に応じて装着される。
また、室内照明装置４０の白熱ランプ４５を点滅するためのスイッチが、前記開閉カバーの開閉動作によってＯＮ・ＯＦＦされるように構成することが望ましい。
【００１９】
この実施例に係る車両用サンバイザは上述したように構成される。
したがって、支軸１０の横軸部１２の軸回りにサンバイザ本体２０を回動操作して遮光位置に配置し化粧用ミラー３２を使用する際、室内照明装置４０の白熱ランプ４５が点灯されると、その白熱ランプ４５が発する光は色温度変換フィルタ５１を透してレンズ体５０から出射される。
これによって、白熱ランプ４５のオレンジ色系の光源色が白色光に近い照明色に変化されるため、高価な白色発光ダイオードを用いることなく、白色光に近い照明光によって照明することができる。
例えば、白熱ランプ４５の光源色の色温度が約２５００Ｋ〜３０００Ｋ程度でオレンジ系の光源色であるのに対し、青系の色温度変換フィルタ５１を透してレンズ体５０から出射させることで、色温度を約３２００Ｋ〜５０００Ｋ程度まで高め、白色光に近い照明色に変化させることができる。
【００２０】
ちなみに、白熱ランプ４５の光源色成分、Ｒ（赤）．Ｇ（緑）．Ｂ（青）が、１００％、８０％、５０％であるのに対し、フィルタ色成分、Ｒ（赤）．Ｇ（緑）．Ｂ（青）が５０％、７０％、１００％の色温度変換フィルタ５１を用いた場合、照明色成分、Ｒ（赤）．Ｇ（緑）．Ｂ（青）が５０％、５６％、５０％となり、最も白色光に近い照明色に変化させることができ、最適であった。
また、フィルタ色成分、Ｒ（赤）．Ｇ（緑）．Ｂ（青）が６０％、７０％、１００％の色温度変換フィルタ５１を用いた場合、照明色成分、Ｒ（赤）．Ｇ（緑）．Ｂ（青）が６０％、５６％、５０％となり、やや赤系をおびた白色光に近い照明色に変化させることができ、採用可能である。
また、フィルタ色成分、Ｒ（赤）．Ｇ（緑）．Ｂ（青）が５０％、８０％、１００％の色温度変換フィルタ５１を用いた場合、照明色成分、Ｒ（赤）．Ｇ（緑）．Ｂ（青）が５０％、６４％、５０％となり、やや緑系をおびた白色光に近い照明色に変化させることができ、採用可能である。
また、フィルタ色成分、Ｒ（赤）．Ｇ（緑）．Ｂ（青）が５０％、７０％、８０％の色温度変換フィルタ５１を用いた場合、照明色成分、Ｒ（赤）．Ｇ（緑）．Ｂ（青）が５０％、５６％、４０％となり、やや黄系をおびた白色光に近い照明色に変化させることができ、採用可能である。
【００２１】
前記した実施例１において、白熱ランプ４５とレンズ体５０との間に位置する段差部４６に、白熱ランプ４５の光源色に対し補色の関係をもつ青系の色成分を有する色温度変換フィルタ５１が設けられる場合を例示したが、図３に示すように、白熱ランプ４５の外周面にフィルム状の青系の色温度変換フィルタ５２を巻き付けることによっても略同等の作用効果を奏する。この場合、色温度変換フィルタ５２を耐熱性の樹脂フィルムを用いることが望ましい。
【００２２】
また、レンズ体を、白熱ランプ４５の光源色と補色の関係をもつ青系の色成分を有する色温度変換レンズ体によって構成されることで、色温度変換フィルタを兼用することができる。
このように、色温度変換フィルタを兼用する色温度変換レンズ体によってレンズ体を構成することで、構造が簡単で組付性の向上を図ることができ、その分だけコスト低減を図ることが可能となる。
また、色温度変換レンズ体によってレンズ体を構成する場合、図４に示すように、無色透明なレンズ体５０の表裏両面のうち、少なくとも片側面にフイルム状の色温度変換フィルタ５２を貼り付けることによって色温度変換レンズ体５５を構成することもでき、また、レンズ体自体を青系に着色することによっても構成することができる。
【実施例２】
【００２３】
次に、この発明の実施例２を図５にしたがって説明する。
この実施例２に係る室内照明装置４０は、色温度変換反射鏡６０によって白熱ランプ４５のオレンジ色系の光源色が白色光に近い照明色に変化されるように構成したものであり、図５に示すように、ランプケース体４１のランプ収納室４２には、青系の色成分を有する色温度変換反射鏡６０が設けられている。
また、色温度変換反射鏡６０は、ランプ収納室４２内に配置された白熱ランプ４５の外周囲を囲むようにして形成された円弧状の反射部６５と、その円弧状の反射部６５によって反射された光を前方のレンズ体５０に向けて反射する傾斜状の反射部６６とを備えている。
【００２４】
また、色温度変換反射鏡６０は、アルミの真空蒸着加工、スパッタリング加工等によって鏡面処理された合成樹脂シート６１の表面（鏡面）に、白熱ランプ４５の光源色と補色の関係をもつ青系の色成分を有する樹脂フィルム６２を貼り付けることによって容易に形成することができる。
そして、白熱ランプ４５が発する光を色温度変換反射鏡６０の円弧状の反射部６５及び傾斜状の反射部６６よって反射させた後、レンズ体５０を透して出射させることで白色光に近い照明色に変化させるようになっている。
この実施例２のその他の構成は実施例１と同様にして構成されるため、同一構成部分に対し同一符号を付記してその説明は省略する。
【００２５】
したがって、この実施例２においては、白熱ランプ４５が発する光を色温度変換反射鏡６０によって反射させた後、レンズ体５０を透して出射させることで、白熱ランプ４５のオレンジ色系の光源色を白色光に近い照明色に変化させることができる。
【００２６】
また、前記実施例１及び２において、車両用サンバイザのサンバイザ本体２０の一側面に装着されたミラーユニット３０に室内照明装置４０が組み込まれているため、使い勝手に優れかつ商品価値の高い車両用サンバイザを提供することができる。
【００２７】
なお、この発明は前記実施例１及び２に限定するものではない。
例えば、前記実施例１及び２においては、車両用サンバイザのサンバイザ本体２０の一側面に装着されたミラーユニット３０に室内照明装置４０が組み込まれる場合を例示したが、車両用サンバイザの取付ブラケット１５に対し室内照明装置４０を組み込むことも可能である。
また、車室の天井部に、車両用サンバイザとは独立して室内照明装置４０を装着した場合においてもこの発明を実施することができる。
【図面の簡単な説明】
【００２８】
【図１】この発明の実施例１に係る車両用サンバイザを示す正面図である。
【図２】同じく図１のＩＩ−ＩＩ線に基づく断面図である。
【図３】同じく白熱ランプの外周面にフィルム状の色温度変換フィルタを巻き付けた実施態様を示す断面図である。
【図４】同じくレンズ体に色温度変換フィルタの機能を兼務させた実施態様を示す説明図である。
【図５】この発明の実施例２に係る室内照明装置を示す断面図である。
【符号の説明】
【００２９】
２０  サンバイザ本体
３０  ミラーユニット
３１  ミラーケース体
３２  化粧用ミラー
４０  室内照明装置
４１  ランプケース体
４２  ランプ収納室
４５  白熱ランプ
５０  レンズ体
５１  色温度変換フィルタ
６０  色温度変換反射鏡
【図１】
2006131130.tif 000003
【図２】
2006131130.tif 000004
【図３】
2006131130.tif 000005
【図４】
2006131130.tif 000006
【図５】
2006131130.tif 000007